(57)【特許請求の範囲】
【請求項１】
面板と枠からなり、左右の一方の側上下に軸支部を有する扉体において、枠の軸支部側の縦枠辺の中央位置から他方の側の上下角部またはその近傍に緊張材を架設したことを特徴とする扉体。
【請求項２】
緊張材は、途中をバックル金物で連結した金属棒であるターンバックルとする請求項１記載の扉体。
【請求項３】
緊張材は、端部に羽子板を設けて溶接またはビス止めする請求項１または請求項２記載の扉体。
【請求項４】
枠は軸支部側の縦枠辺とこれに接続する上下横枠辺の３方を残りの他方の側の縦枠辺よりも堅牢とする請求項１ないし請求項３のいずれかに記載の扉体。
【請求項５】
面板は枠に対して一面のみの片面扉である請求項１ないし請求項４のいずれかに記載の扉体。
【発明の詳細な説明】
【０００１】
【発明の属する技術分野】
本発明は、防火扉その他の扉の扉体に関するものである。
【０００２】
【従来の技術】
常時は、通路の壁部に形成された収納凹部（戸袋）に収納され、火災時には通路の閉塞を行う防火扉を例に取ると、開きの場合では、扉体は面板と枠からなるフラッシュ扉で、左右の一方の側上下に軸支部を有するものである。
【０００３】
そして、枠に対して面板が両面にある両面フラッシュ扉がゆがみ等に強いものとして採用されることが多いが、近年、下記特許文献１にも示すように、片面フラッシュ扉も用いられるようになった。
【０００４】
【特許文献１】
特開２００２−１６８０６０号公報
【０００５】
このような片面フラッシュ扉は、そもそも、常時は収納されていて片面しか外側に向けないという防火扉の特質上、化粧や体裁のための面板は片面でよいというニーズに合致するものであり、面板が少ない分、軽量化が実現でき、コストの低減にも繋がる。
【０００６】
【発明が解決しようとする課題】
前記特許文献１に記載された片面フラッシュ扉は、所定の厚さの金属製、例えば鉄、ステンレスまたはそれと同等以上の耐火性能を持った別素材あるいは合金製面板と、面板から垂直方向に突出して形成される四周補強枠とによって構成され、四周補強枠には補強用桟が設けられる。
【０００７】
他の例としては、図８、図９に示すように、扉体１は枠２を有する面板３の内側に縦方向の中骨４による補強を行なう。この中骨４はコ字形のチャンネル材に外向きの水平フランジを設けたものであり、扉体１の開口面５に近づく高さのもとなる。
【０００８】
図中６は扉枠、７ａ、７ｂは扉体１の左右の一方の側上下に設けた軸支部としてのヒンジである。
【０００９】
前記四周補強枠には補強用桟を設ける場合でも、また、中骨４を設ける場合でも、片面フラッシュ扉は両面フラッシュ扉に比べて、どうしても構造的強度が低下し、振動や捩れに弱いものとなる。（両面フラッシュ扉の場合も補強用桟や中骨４を設ける）
【００１０】
本発明は前記従来例の不都合を解消し、振動やゆがみを減少させ、構造的な強度が向上するので、両面フラッシュ扉のみならず、片面フラッシュ扉でも、軽量な安定した扉とすることができ、軽量であることでヒンジ等への負担も少なく耐久性も増し、しかも、コスト的にも低廉ですむ扉体を提供することにある。
【００１１】
【課題を解決するための手段】
本発明は前記目的を達成するため、第１に、面板と枠からなり、左右の一方の側上下に軸支部を有する扉体において、枠の軸支部側の縦枠辺の中央位置から他方の側の上下角部またはその近傍に緊張材を架設したこと、第２に、緊張材は、途中をバックル金物で連結した金属棒であるターンバックルとすること、第３に、緊張材は、端部に羽子板を設けて溶接またはビス止めすることを要旨とするものである。
【００１２】
さらに、第４に、枠は軸支部側の縦枠辺とこれに接続する上下横枠辺の３方を残りの他方の側の縦枠辺よりも堅牢とすること、第５に、面板は枠に対して一面のみの片面扉であることを要旨とするものである。
【００１３】
請求項１記載の本発明によれば、吊元としての枠の軸支部側の縦枠辺に対して一番ゆがみにより変位を生じやすい他方の側の上下角部を緊張材によりこの縦枠辺の中央部に引き込むようにするもので、特に、捩れを有効に抑えることができる。
【００１４】
また、緊張材を架け渡すことにより、扉体は図５に示すように、X、Ｙ、Zの３つのトラスに分けることができ、その集合が吊元としての枠の軸支部側の縦枠辺に位置するので、回転軸を中心のゆがみ防止が実現できる。
【００１５】
請求項２記載の本発明によれば、前記作用に加えて、ターンバックルにより緊張材の緊張力を簡単かつ迅速に調整できる。
【００１６】
請求項３記載の本発明によれば、緊張材は、端部に羽子板を設けることで、溶接またはビス止めを容易に行なうことができる。
【００１７】
請求項４記載の本発明によれば、枠は周囲四方すべてを同一の強度にしなてくても、強度およびゆがみ防止が実現でき、堅牢としなくてもよい縦枠辺を組み込むことで、軽量化、低廉化が実現できる。
【００１８】
請求項５記載の本発明によれば、面板は枠に対して一面のみの片面扉であることで、軽量化、低廉化が実現できるとともに、非使用時では、ラッシュ面である面板３の外側面が通路側に向き、体裁を保つことができる。
【００１９】
【発明の実施の形態】
以下、図面について発明の実施の形態について詳細に説明する。図１は本発明の扉体の１実施形態を示す裏面図、図２は同上正面図、図３は同上平面図で、前記従来例を示す図８、図９と同一構成要素には同一参照符号を付したものである。
【００２０】
扉体１は、扉枠６に対して左右の一方の側上下に設けた軸支部としてのヒンジ７ａ、７ｂで回転自在となる。
【００２１】
また、扉体１は片面フラッシュ扉として、枠２と面板３とからなるが、枠２は左右の縦枠辺２ａ、２ａ′および上下の横枠辺２ｂ、２ｂ′からなる四方周辺枠である。
【００２２】
本実施形態では、枠２を構成する左右の縦枠辺２ａ、２ａ′および上下の横枠辺２ｂ、２ｂ′は、いずれも面板３をなす板体をコ字形に折り曲げて一体的に形成したものであり、特に、枠２の軸支部側の縦枠辺２ａと上下の横枠辺２ｂ、２ｂ′はこのようなコ字形に折り曲げるだけでなく、コ字形に折り曲げていたチャンネル材８を重ね合わせて角形パイプ状とし、残りの他方の側の縦枠辺２ａ′はこのようなチャンネル材８を省略したコ字形の折り曲げてのみで形成したものとした。
【００２３】
このような構成を取ることにより、枠２は軸支部側の縦枠辺２ａとこれに接続する上下横枠辺２ｂ、２ｂ′の３方を残りの他方の側の縦枠辺２ａ′よりも堅牢なものとなる。
【００２４】
前記縦枠辺２ａの中央位置に矩形の止め板９を枠２に内方に向けて突設するように設け、この止め板９から枠２の他方の側の上下角部またはその近傍へ緊張材としてターンバックル１０を掛け渡した。ターンバックル１０は周知のごとく、バックル金物１０ａとこれに螺子合する端部螺子切りの鋼棒１０ｂまたはそれ以外の金属棒からなる。
【００２５】
また、ターンバックル１０は端部に羽子板１１を設けて止め板９や枠２の上下角部またはその近傍へ前記溶接またはビス止めする。この羽子板１１は枠２の上下角部またはその近傍へ接合するものとしては前記止め板９と同じ役割を持たせることもできる。
【００２６】
前記実施形態では、扉体１は片面フラッシュ扉として枠２に対して面板３は片側にのみ存在し、他の面は開口面５としたが、他の実施形態として、両面に面板３を設ける両面フラッシュ扉とすることも可能である。
【００２７】
さらに、本実施形態では、扉体１は面板３の内側に、コ字形のチャンネル材に外向きの水平フランジを設け縦方向の中骨４による補強を行なうが、この中骨４は前記従来例を示す図８、図９にあるような扉体１の開口面５に近づく高さのような大きなものでなくてもよい。場合によっては、中骨４は省略することもできる。
【００２８】
また、図示は省略するが、前記特許文献１にもあるように、親扉と子扉からなる折れ戸式防火扉とすることも可能である。さらに、防火扉以外の扉にも応用が可能である。
【００２９】
使用については、通路の壁部に形成された扉枠６に収納された扉体１は、火災の検知によって係止装置が解除されることによってヒンジ７ａ、７ｂを回動支点として回動して扉枠６に当接して停止し、前記通路を完全に閉鎖するものである。これによって、火災の検知により通路を有効に閉鎖でき、火災の類焼や煙の侵入を防止することができる。
【００３０】
さらに、扉体１においては、非使用時では、フラッシュ面である面板３の外側面が通路側に向き、体裁を保てるとともに、例えばこの面に壁部に貼付される壁紙等に代表される壁部材と同一の部材を貼付することにより、収納時における通路見栄えを一層良好にすることもできる。
【００３１】
【発明の効果】
以上述べたように本発明の扉体は、振動やゆがみを減少させ、構造的な強度が向上するので、両面フラッシュ扉のみならず、片面フラッシュ扉でも、軽量な安定した扉とすることができ、軽量であることでヒンジ等への負担も少なく耐久性もまし、しかも、コスト的にも低廉ですむものである。
【図面の簡単な説明】
【図１】本発明の扉体の１実施形態を示す裏面図である。
【図２】本発明の扉体の１実施形態を示す正面図である。
【図３】本発明の扉体の１実施形態を示す平面図である。
【図４】本発明の扉体の１実施形態を示す詳細裏面図である。
【図５】本発明の扉体の１実施形態を示す詳細正面図である。
【図６】本発明の扉体で緊張材を省略した状態での詳細横断平面図でである。
【図７】本発明の扉体で緊張材の配設を示す斜視図である。
【図８】従来例を示す正面図である。
【図９】従来例を示す横断平面図である。
【符号の説明】
１…扉体                        ２…枠
２ａ、２ａ′…縦枠辺            ２ｂ、２ｂ′…横枠辺
３…面板                        4…中骨
５…開口面                      ６…扉枠
７ａ、７ｂ…ヒンジ              ８…チャンネル材
９…止め板                      １０…ターンバックル
１０ａ…バックル金物            １０ｂ…鋼棒
１１…羽子板
【図１】
0003655909.tif 000002
【図２】
0003655909.tif 000003
【図３】
0003655909.tif 000004
【図４】
0003655909.tif 000005
【図５】
0003655909.tif 000006
【図６】
0003655909.tif 000007
【図７】
0003655909.tif 000008
【図８】
0003655909.tif 000009
【図９】
0003655909.tif 000010